(57)【要約】【課題】試料中のリン酸イオンを、簡便に測定可能とするリン酸測定用キットを提供する。【解決手段】一端に第１開口部を有し、周壁の少なくとも一部が光透過性とされ、周壁から入射した光が対向する周壁から出射可能とされた有底の光学セルと、光学セルの第１開口部を閉塞可能な蓋材３２と、を備え、蓋材３２は、第１開口部の内側に液密に嵌合可能で、かつ一端に第２開口部３２１ａを有する有底筒状の収容部３２１を備え、光学セル本体２内にモリブデン酸イオンを含有する酸性溶液が収容され、収容部３２１内に、モリブデン酸イオンを含有する酸性溶液とは隔離された状態でアスコルビン酸が収容されているリン酸測定用キット１。【選択図】図２
2014232074.tif 000002
【特許請求の範囲】
【請求項１】
一端に第１開口部を有し、周壁の少なくとも一部が光透過性とされ、周壁から入射した光が対向する周壁から出射可能とされた有底の光学セルと、
前記光学セルの第１開口部を閉塞可能な蓋材と、を備え、
前記蓋材は、前記第１開口部の内側に液密に嵌合可能で、かつ一端に第２開口部を有する有底筒状の収容部を備え、
前記光学セル内にモリブデン酸イオンを含有する酸性溶液が収容され、
前記収容部内に、前記モリブデン酸イオンを含有する酸性溶液とは隔離された状態でアスコルビン酸が収容されているリン酸測定用キット。
【請求項２】
前記第１開口部を介した前記光学セルの内部と前記光学セルの外部との接続、または前記第２開口部を介した前記収容部の内部と前記収容部の外部との接続、の少なくともいずれか一方を遮断することで、前記モリブデン酸イオンを含有する酸性溶液と前記アスコルビン酸とを隔離する隔離部材を有している請求項１に記載のリン酸測定用キット。
【請求項３】
前記隔離部材は、前記蓋材が前記第１開口部を閉塞していない状態で、前記光学セルと前記蓋材に剥離可能に貼着されており、
前記収容部が前記第１開口部の内側に嵌合していない状態で、前記第１開口部と前記第２開口部とを共に封止する請求項２に記載のリン酸測定用キット。
【請求項４】
前記光学セルは、一端に開口部を有し、周壁の少なくとも一部が光透過性とされ、周壁から入射した光が対向する周壁から出射可能とされた有底の第１部材と、
前記第１部材の一端に設けられ、自身を貫通する貫通孔を有する第２部材と、を有し、
前記開口部と前記貫通孔とが連通して前記第１開口部をなし、
前記隔離部材は、前記第１部材と前記第２部材とに挟持されて固定されている請求項２に記載のリン酸測定用キット。
【発明の詳細な説明】
【技術分野】
【０００１】
本発明は、リン酸測定用キットに関するものである。
【背景技術】
【０００２】
リンは、河川や海洋などの富栄養化の原因物質として知られており、自然環境へ排出する排水においては排出規制が設けられている。そのため、排水中のリンの定量、特にリン酸イオンの定量は、日常的に行われている。
【０００３】
水中に含まれるリン酸イオンの定量方法は、ＪＩＳＫ０１０２「工場排水試験方法」（２０１０）４６．１．１に、モリブデン青吸光光度法として規定されている。この測定原理に基づいて、種々の測定方法が提案されている（例えば、特許文献１，２参照）。
【先行技術文献】
【特許文献】
【０００４】
【特許文献１】特開２００５−９９０１４号公報
【特許文献２】特開２０１１−２２７０４０号公報
【発明の概要】
【発明が解決しようとする課題】
【０００５】
上記ＪＩＳ規格の方法においては、アスコルビン酸を用いてリン酸イオンのモリブデン酸錯体を還元している。しかし、アスコルビン酸は水溶液の状態で長時間保存すると酸化劣化し着色してしまうため、保存温度や保存期間を管理する必要がある。また、測定直前に固体のアスコルビン酸を溶解して水溶液を調製する場合、操作が煩雑となる。そのため、試料である排水等に溶解したリン酸イオンを、簡便に測定可能とする技術が求められていた。
【０００６】
本発明はこのような事情に鑑みてなされたものであって、試料中のリン酸イオンを、簡便に測定可能とするリン酸測定用キットを提供することを目的とする。
【課題を解決するための手段】
【０００７】
上記の課題を解決するため、本発明の一態様は、一端に第１開口部を有し、周壁の少なくとも一部が光透過性とされ、周壁から入射した光が対向する周壁から出射可能とされた有底の光学セルと、前記光学セルの第１開口部を閉塞可能な蓋材と、を備え、前記蓋材は、前記第１開口部の内側に液密に嵌合可能で、かつ一端に第２開口部を有する有底筒状の収容部を備え、前記光学セル内にモリブデン酸イオンを含有する酸性溶液が収容され、前記収容部内に、前記モリブデン酸イオンを含有する酸性溶液とは隔離された状態でアスコルビン酸が収容されているリン酸測定用キットを提供する。
【０００８】
本発明の一態様によれば、前記第１開口部を介した前記光学セルの内部と前記光学セルの外部との接続、または前記第２開口部を介した前記収容部の内部と前記収容部の外部との接続、の少なくともいずれか一方を遮断することで、前記モリブデン酸イオンを含有する酸性溶液と前記アスコルビン酸とを隔離する隔離部材を有している構成としてもよい。
【０００９】
本発明の一態様によれば、前記隔離部材は、前記蓋材が前記第１開口部を閉塞していない状態で、前記光学セルと前記蓋材に剥離可能に貼着されており、前記収容部が前記第１開口部の内側に嵌合していない状態で、前記第１開口部と前記第２開口部とを共に封止する構成としてもよい。
【００１０】
本発明の一態様によれば、前記光学セルは、一端に開口部を有し、周壁の少なくとも一部が光透過性とされ、周壁から入射した光が対向する周壁から出射可能とされた有底の第１部材と、前記第１部材の一端に設けられ、自身を貫通する貫通孔を有する第２部材と、を有し、前記開口部と前記貫通孔とが連通して前記第１開口部をなし、前記隔離部材は、前記第１部材と前記第２部材とに挟持されて固定されている構成としてもよい。
【発明の効果】
【００１１】
本発明によれば、試料中のリン酸イオンを簡便に測定可能とするリン酸測定用キットを提供することができる。
【図面の簡単な説明】
【００１２】
【図１】本実施形態のリン酸測定用キットを示す斜視図である。
【図２】本実施形態のリン酸測定用キットの断面図である。
【図３】本実施形態のリン酸測定用キットを用いたリン酸測定方法を示す説明図である。
【図４】蓋材により第１開口部を閉じた状態を示す部分拡大図である。
【図５】リン酸測定用キットの変形例の断面図である。
【発明を実施するための形態】
【００１３】
以下、図を参照しながら、本発明の実施形態に係るリン酸測定用キットについて説明する。なお、以下の全ての図面においては、図面を見やすくするため、各構成要素の寸法や比率などは適宜異ならせてある。
【００１４】
（リン酸測定用キット）
図１は、リン酸測定用キット１を示す斜視図であり、図１（ａ）が保存時、図１（ｂ）が使用時の様子を示す図である。
【００１５】
本実施形態のリン酸測定用キット１は、光学セル本体（第１部材）２と、蓋ユニット３と、封止材（隔離部材）４と、を有している。光学セル本体２には、後述する第１の試薬５が収容されている。
【００１６】
図１（ｂ）に示すように、蓋ユニット３は、光学セル本体２の一端に設けられた基材（第２部材）３１と、蓋材３２と、基材３１と蓋材３２とを接続するヒンジ３３と、を有している。基材３１には、光学セル本体２の内部と接続する貫通孔３１１ａが設けられ、蓋材３２には、後述する第２の試薬を収容する収容部３２１が設けられている。
【００１７】
図１（ａ）に示すように、リン酸測定用キット１は、保存状態において封止材４が基材３１と蓋材３２とを覆っている。また、図１（ｂ）に示すように、使用時には、封止材４を剥離することで、基材３１の貫通孔３１１ａと、蓋材３２が有する収容部３２１の第２開口部３２１ａと、を露出させるように構成されている。
【００１８】
図２は、リン酸測定用キット１の断面図である。
【００１９】
光学セル本体２は、一端に開口部２ａを有する有底筒状の角柱であり、吸光光度法による測定が可能なように、周壁が光透過性を有し、周壁から入射した光が対向する周壁から出射可能に構成されている。光学セル本体２としては、例えば、光路長１０ｍｍの角セルを採用することができる。光学セル本体２は、ガラスや石英を形成材料とすることもできるが、ポリメチルメタクリレート（ＰＭＭＡ）のようなアクリル樹脂、ポリエチレンテレフタレート（ＰＥＴ）のようなポリエステル樹脂、ポリスチレンなどの樹脂材料を形成材料としてもよい。また、光学セル本体２の、開口部２ａが設けられた部分の外側には雄ねじ２ｂが形成されている。
【００２０】
基材３１には雌ねじ３１ａが形成されており、光学セル本体２の雄ねじ２ｂにねじ止めされている。また、基材３１の貫通孔３１１ａは、光学セル本体２の開口部２ａと連通している。本実施形態において、光学セル本体２と基材３１とを合わせた構成が、本発明における「光学セル」に該当し、開口部２ａと貫通孔３１１ａとが連通して形成された開口部が、本発明における「第１開口部」に該当する。
【００２１】
蓋材３２は、底部３２ａと、底部３２ａの周縁に設けられた閉環状の側壁３２ｂとを有する椀型を呈し、さらに側壁３２ｂの内側に設けられた閉環状の壁部３２ｃと底部３２ａとで構成された有底筒状の収容部３２１を有している。後述するように、収容部３２１は、貫通孔３１１ａに液密に嵌合可能な大きさを有している。
基材３１と蓋材３２とは、ヒンジ３３で接続されている。
【００２２】
蓋ユニット３（基材３１、蓋材３２およびヒンジ３３）は、樹脂材料で一体に形成されている。蓋ユニット３は、アクリル樹脂、ポリエステル樹脂、ポリスチレンなど、光学セル本体２と同じ材料を用いて形成されていてもよく、異なる材料を用いて、形成されていてもよい。また、蓋ユニット３は遮光性を有していることが好ましい。
【００２３】
封止材４は、例えばアルミニウムのような金属材料を形成材料としており、必要に応じて表面に樹脂被膜が形成されていてもよい。封止材４は、例えばシート状または膜状の部材であり、収容部３２１が貫通孔３１１ａの内側に嵌合していない状態で、貫通孔３１１ａの端部（第１開口部）と第２開口部３２１ａとを共に封止するように貼着され、且つ剥離可能に設けられている。封止材４により、貫通孔３１１ａを介した光学セル本体２の内部と外部との接続、第２開口部３２１ａを介した収容部３２１の内部と外部との接続が遮断され、保存中から使用前までの期間において、第１の試薬５と第２の試薬６とが隔離されている。また、封止材４により、保存中から使用前までの期間において第１の試薬５および第２の試薬６が外気と触れないようになっており、第１の試薬５および第２の試薬６の劣化を防いでいる。
【００２４】
第１の試薬５は、モリブデン酸イオンを含有する酸性溶液である。本発明の「モリブデン酸イオンを含有する酸性溶液」としては、モリブデン酸イオンを含み、溶液のｐＨが酸性のものであれば用いることができる。モリブデン酸イオンを含有する酸性溶液を調整する際、モリブデン酸イオンの供給源としては、モリブデン酸塩を用いることができる。溶液の酸性度を調整するための酸としては、例えば硫酸を用いることができる。また、後述する呈色反応において強く発色させるために、酒石酸アンチモニルカリウムを含むこととするとよい。
【００２５】
このような「モリブデン酸イオンを含有する酸性溶液」としては、例えば、モリブデン酸、硫酸、酒石酸アンチモニルカリウムの混合水溶液を示すことができる。また、モリブデン酸イオンを含有する酸性溶液として、ＪＩＳＫ０１０２「工場排水試験方法」（２０１０）４６．１．１に規定されたモリブデン酸アンモニウム溶液を用いることもできる。第１の試薬５は、既知の量が光学セル本体２に収容されている。
【００２６】
第２の試薬６は、固体状のアスコルビン酸である。アスコルビン酸の形態としては、粉末状、細粒状、顆粒状など種々の形態を採用することができるが、後述する操作においてアスコルビン酸を溶解する必要があることから、粒度は小さい方が好ましい。第２の試薬６は、後述する還元反応における必要量に対して過剰量が、収容部３２１内に収容されている。
【００２７】
（リン酸測定方法）
図３は、本実施形態のリン酸測定用キット１を用いたリン酸測定方法を示す説明図である。
【００２８】
まず、図３（ａ）に示すように、リン酸測定用キット１から封止材４を剥離し、貫通孔３１１ａおよび第２開口部３２１ａを露出させる。その後、貫通孔３１１ａを介して、光学セル本体２内に測定対象である排水等の試料７を注入する。注入する試料７は、予め量が規定されており、ピペット等を利用して規定量を注入する。これにより、第１の試薬５と試料７とが混合される。第１の試薬５と試料７との混合液においては、第１の試薬５中のモリブデン酸イオンと、試料７中のリン酸イオンと、が錯体を形成する。
【００２９】
次いで、図３（ｂ）に示すように、ヒンジ３３を曲げ、蓋材３２の収容部３２１を貫通孔３１１ａに嵌合させる。これにより、蓋材３２は、収容部３２１の内側を光学セル本体２の内部に向けた状態で貫通孔３１１ａ（第１開口部）を閉塞する。
【００３０】
次いで、蓋材３２により貫通孔３１１ａを密閉した状態で、光学セル本体２および蓋ユニット３の全体を振り混ぜることで、第１の試薬５と試料７との混合液８を収容部３２１の内側に収容された第２の試薬６に接触させ、第２の試薬６を溶解し、例えば５分間静置する。第２の試薬６が溶解した混合液８においては、モリブデン酸錯体をアスコルビン酸が還元し、青色に呈色する。この青色の強度は、試料７中のリン酸イオン濃度に比例する。
【００３１】
ここで、図４は、蓋材により貫通孔３１１ａを閉じた状態を示す部分拡大図である。図４（ａ）は、収容部３２１を有さない蓋材１３２を備えたリン酸測定用キット１００を想定した場合に、蓋材１３２を用いて貫通孔３１１ａを閉じた場合を示す。図４（ｂ）は、本実施形態の蓋材３２で貫通孔３１１ａを閉じた場合を示す。
【００３２】
まず、図４（ａ）に示すように、収容部３２１を有さない蓋材１３２を備えたリン酸測定用キット１００を想定した場合、蓋材１３２に第２の試薬６を収容させると、蓋材１３２を閉じ振り混ぜることで、第２の試薬６を光学セル本体２内の混合液に溶解することは可能である。しかし、このような構成の蓋材１３２においては、貫通孔３１１ａと蓋材１３２の側壁との間の空間（図中αで示す）に、溶け残った第２の試薬６や測定対象である混合液が溜まるおそれがあり、測定値が変動する要因となる。
【００３３】
対して、図４（ｂ）に示す本実施形態のリン酸測定用キット１においては、蓋材３２が収容部３２１を有し、収容部３２１が貫通孔３１１ａに液密に嵌合して、貫通孔３１１ａを閉塞する。これにより、収容部３２１内に収容されている第２の試薬６は、光学セル本体２の内部に面し、光学セル本体２および蓋ユニット３の全体を振り混ぜることで、第２の試薬６の全量を容易に溶解させることができる。そのため、確実に第２の試薬６の全量を用いて測定対象の混合液を調整することができ、測定値が安定する。
【００３４】
次いで、図３（ｃ）に示すように、第１の試薬５と第２の試薬６と試料７との混合液９について、吸光光度法による測定を行う。測定は、通常知られた吸光光度計を用いることができ、４９０ｎｍ〜７００ｎｍの波長の光を用いて行う。また、光学セル本体２内に純水を注入したブランク試験用のサンプルを別途用意しておき、同様に測定を行って補正値を求める。このようにして混合液９について測定した吸光係数から、ブランク試験用サンプルについて測定した吸光係数の補正値を差し引き、混合液９についての真の吸光係数を求める。
【００３５】
予めリン酸イオン濃度に対する吸光係数の関係を示す検量線を作成しておくことで、検量線を参照して、求められた混合液９についての真の吸光係数から、試料７中のリン酸イオン濃度を求めることができる。
【００３６】
以上のような構成のリン酸測定用キット１によれば、保存中は固体状のアスコルビン酸が収容部３２１に封入されているため、酸化劣化を防ぐことができる。また、ヒンジ３３で接続された蓋材３２を閉じ、光学セル本体２および蓋ユニット３の全体を振り混ぜるだけの簡便な操作により、固体状のアスコルビン酸を溶解して測定用の混合液を調整することができる。そのため、リン酸測定用キット１によれば、試料中のリン酸イオンを簡便に測定することができる。
【００３７】
以上、添付図面を参照しながら本発明に係る好適な実施の形態例について説明したが、本発明は係る例に限定されないことは言うまでもない。上述した例において示した各構成部材の諸形状や組み合わせ等は一例であって、本発明の主旨から逸脱しない範囲において設計要求等に基づき種々変更可能である。
【００３８】
例えば、本実施形態においては、蓋ユニット３を構成する基材３１と蓋材３２とがヒンジ３３で接続されていることとしたが、ヒンジ３３がなく基材３１と蓋材３２とが独立した構成を採用することもできる。
【００３９】
また、本実施形態においては、光学セル本体２と基材３１とが別体に構成され、それぞれ形成された雄ねじ２ｂと雌ねじ３１ａとを用いてねじ止めされている構成であることとして説明したが、光学セル本体２と基材３１とが透明樹脂で一体成型されている構成であってもよい。
【００４０】
また、本実施形態においては、光学セル本体２の周壁が光透過性を有することとしたが、必ずしも光学セル本体２の周壁全体が光透過性を有する必要はない。対向する周壁の一部が光透過性を有し、周壁から入射した光が対向する周壁から出射可能に構成されていれば、他の周壁は光透過性を有しない構成であっても構わない。
【００４１】
また、本実施形態においては、封止材４が、貫通孔３１１ａと第２開口部３２１ａとを共に封止するように貼着され、且つ剥離可能に設けられていることとしたが、この構成に限らない。
【００４２】
図５は、本実施形態の変形例に係る説明図であり、図２に対応する図である。
図５（ａ）に示すリン酸測定用キット１１においては、上記実施形態で説明した封止材４の代わりに、貫通孔３１１ａの光学セル本体２側の端部において開口部２ａを封止する第１封止材（隔離部材）４１と、第２開口部３２１ａの端部（収容部３２１の端部）を封止する第２封止材（隔離部材）４２と、を有している。第１封止材４１は、光学セル本体２と基材３１とに挟持されて固定されている。このようなリン酸測定用キット１１においては、第１封止材４１と第２封止材４２により、貫通孔３１１ａと第２開口部３２１ａとが個別に封止されている。
【００４３】
リン酸測定用キット１１の使用時には、第１封止材４１に孔を開け、形成した孔を介して排水等の試料７（図３参照）を光学セル本体２内に入れる。一方で第２封止材４２を剥離した後に、蓋材３２を閉じ、リン酸測定用キット１１の全体を振り混ぜることで、青色に呈色した混合液を調整し、得られる混合液の吸光係数を測定する。
【００４４】
このような構成のリン酸測定用キット１１では、第１封止材４１と第２封止材４２とにより第１試薬と第２試薬とが隔離された状態で、蓋材３２を閉じ、貫通孔３１１ａを閉塞して保管することができる。そのため、保管時や移送時に、蓋材３２同士が干渉することによる破損を抑制することができ、また、狭い保管場所でも多くのリン酸測定用キット１１を効率的に保管することができる。
【００４５】
なお、リン酸測定用キット１１においては、第１開口部を介した光学セル本体２の内部と外部との接続、または第２開口部３２１ａを介した収容部３２１の内部と外部との接続、の少なくともいずれか一方を遮断することができればよく、例えば第２封止材４２を備えない構成としてもよい。その場合、保管中における第２の試薬６の劣化を抑制するため、リン酸測定用キット１１の保管中には、蓋材３２を閉じ、第２の試薬６と空気との接触を防ぐこととするとよい。
【００４６】
また、図５（ｂ）に示すリン酸測定用キット１２のように、貫通孔３１１ａの一端を封止する第１キャップ（隔離部材）４３と、第２開口部３２１ａの端部を封止する第２キャップ（隔離部材）４４と、を有する構成としてもよい。第１キャップ４３および第２キャップ４４は、例えばゴム製のものを用いることができる。
【符号の説明】
【００４７】
１…リン酸測定用キット、２…光学セル本体、２ａ…開口部、３…蓋ユニット、４…封止材、３２…蓋材、３３…ヒンジ、３１１ａ…貫通孔、３２１…収容部、３２１ａ…第２開口部
【図１】
2014232074.tif 000003
【図２】
2014232074.tif 000004
【図３】
2014232074.tif 000005
【図４】
2014232074.tif 000006
【図５】
2014232074.tif 000007